(57)【要約】【課題】配線を電極に接合する際の電極の位置ズレを抑制しつつ、接合後における発光パネル及び回路基板の位置ズレを抑制し、配線接続の品質を高める。【解決手段】光源モジュール１は、平面状の光源部４と、光源部４の背面側に配置された回路基板５と、光源部４の背面側の周縁部に設けられた第１電極４２と当該第１電極４２に対応する回路基板５の背面側の周縁部に設けられた第２電極５４とを接続する配線７と、光源部４と回路基板５との間に配置され、光源部４と回路基板５とを接着する接着部６とを備える。接着部６は、平面視で第２電極５４から所定の間隔をあけて配置されている。回路基板５は、回路基板５の第２電極５４が設けられた部分と、回路基板５の接着部６が接着された部分との間の部分に、前記接着された部分よりもしなりやすいしなり部５３を有する。【選択図】図４
2016170920.tif 000002
【特許請求の範囲】
【請求項１】
平面状の光源部と、
前記光源部の背面側に配置された回路基板と、
前記光源部の背面側の周縁部に設けられた第１電極と当該第１電極に対応するように前記回路基板の背面側の周縁部に設けられた第２電極とを接続する配線と、
前記光源部と前記回路基板との間に配置され、前記光源部と前記回路基板とを接着する接着部とを備え、
前記接着部は、平面視で前記第２電極から所定の間隔をあけて配置され、
前記回路基板は、前記回路基板の前記第２電極が設けられた部分と、前記回路基板の前記接着部が接着された部分との間の部分に、前記接着された部分よりもしなりやすいしなり部を有する
光源モジュール。
【請求項２】
前記第２電極は、前記回路基板の両端部に配置されており、
前記接着部は、前記回路基板の前記両端部の間における中央部に配置されている
請求項１記載の光源モジュール。
【請求項３】
前記光源部は、平面視矩形状に形成されており、
前記光源部の四隅は、前記回路基板から露出している
請求項１又は２に記載の光源モジュール。
【請求項４】
前記接着部は複数設けられている
請求項１〜３のいずれか一項に記載の光源モジュール。
【請求項５】
前記しなり部は、前記接着された部分に対応する前記回路基板の幅よりも狭く形成されている
請求項１〜４のいずれか一項に記載の光源モジュール。
【請求項６】
前記しなり部は、前記接着された部分に対応する前記回路基板の厚みよりも薄く形成されている
請求項１〜５のいずれか一項に記載の光源モジュール。
【請求項７】
前記配線は、前記第１電極及び前記第２電極に溶着されていることを特徴とする
請求項１〜６のいずれか一項に記載の光源モジュール。
【請求項８】
前記配線は、前記第１電極及び前記第２電極に超音波接合されていることを特徴とする
請求項１〜６のいずれか一項に記載の光源モジュール。
【請求項９】
請求項１〜８のいずれか一項に記載の光源モジュールと、
前記光源モジュールを収容する筐体と、を備え、
前記筐体は、
外部の光透過板に吸着して、前記光透過板に対して前記光源部の発光面が対向するように前記筐体を保持する吸着体と、
前記吸着体を前記光透過板に押し付けるための押圧体とを有する
照明器具。
【請求項１０】
前記押圧体は前記吸着体に設けられている
請求項９に記載の照明器具。
【請求項１１】
前記吸着体は略円錐状若しくは略球冠状の凹部を有する吸盤である
請求項９に記載の照明器具。
【請求項１２】
前記押圧体は前記吸着体から立設するネジ軸と、前記ネジ軸を回転させるためのネジ頭とを有し、
前記筐体における前記吸着体が取り付けられる部分には、前記ネジ軸が螺合するネジ孔と、前記ネジ頭を収容する収容凹部とが一体的に形成されている
請求項１１に記載の照明器具。
【請求項１３】
前記押圧体は、少なくとも前記筐体の外周面及び背面に当接し、前記筐体の周縁部を囲う
請求項１０に記載の照明器具。
【請求項１４】
前記吸着体は、前記筐体の周縁部に沿って形成された溝状の吸盤である
請求項１３に記載の照明器具。
【請求項１５】
前記押圧体は前記筐体である
請求項１０に記載の照明器具。
【請求項１６】
請求項１〜８のいずれか一項に記載の光源モジュールを組み立てるための組立方法であって、
前記第１電極から平面視で離間するように、前記光源部の背面側若しくは前記回路基板の発光面側に前記接着部を配置し、
前記接着部を介して、前記回路基板と前記光源部とを取り付け、
前記しなり部をしならせて、前記回路基板の前記第２電極が設けられた部分を前記回路基板に密着させて、
前記第１電極と前記第２電極とに前記配線を接合する
光源モジュールの組立方法。
【発明の詳細な説明】
【技術分野】
【０００１】
本発明は、光源モジュール、照明器具及び光源モジュールの組立方法に関し、特に平面状の光源部を有する光源モジュール、照明器具及び光源モジュールの組立方法に関する。
【背景技術】
【０００２】
面発光する光源モジュールは、例えばエレクトロルミネッセンス（ＥＬ）素子を有する平面状の発光パネルを備える。発光パネルの背面側には、発光パネルを駆動するための回路基板が設けられている（例えば特許文献１参照）。
【先行技術文献】
【特許文献】
【０００３】
【特許文献１】特開２０１２−９４３０３号公報
【発明の概要】
【発明が解決しようとする課題】
【０００４】
ところで、発光パネルと回路基板とは配線により電気的に接続されるのが一般的であるが、発光パネルと回路基板とが位置ズレしてしまうと、配線が断線してしまうおそれがある。
【０００５】
そこで、本発明は、発光パネルと回路基板との位置ズレを簡素な構成で抑制し、配線接続の品質を高めることを目的とする。
【課題を解決するための手段】
【０００６】
本発明の一態様に係る光源モジュールは、平面状の光源部と、前記光源部の背面側に配置された回路基板と、前記光源部の背面側の周縁部に設けられた第１電極と当該第１電極に対応するように前記回路基板の背面側の周縁部に設けられた第２電極とを接続する配線と、前記光源部と前記回路基板との間に配置され、前記光源部と前記回路基板とを接着する接着部とを備え、前記接着部は、平面視で前記第２電極から所定の間隔をあけて配置され、前記回路基板は、前記回路基板の前記第２電極が設けられた部分と、前記回路基板の前記接着部が接着された部分との間の部分に、前記接着された部分よりもしなりやすいしなり部を有する。
【発明の効果】
【０００７】
本発明によれば、発光パネル及び回路基板の位置ズレを簡素な構成で抑制し、配線接続の品質を高めることができる。
【図面の簡単な説明】
【０００８】
【図１】実施の形態に係る照明器具を背面側から見た外観図である。
【図２】実施の形態に係る照明器具を発光面側から見た外観図である。
【図３】実施の形態に係る照明器具の分解斜視図である。
【図４】実施の形態に係る光源モジュールの概略構成を背面側から示す正面図である。
【図５】実施の形態に係る光源モジュールの概略構成を示す側面図である。
【図６】実施の形態に係る固定具、固定具収容部及び開口部の概略構成を示す断面図である。
【図７】実施の形態に係る固定具の概略構成を示す斜視図である。
【図８】実施の形態に係る光源モジュールの組立方法の一工程を模式的に示す模式図である。
【図９】実施の形態に係る光源モジュールの組立方法の一工程を模式的に示す模式図である。
【図１０】実施の形態に係る光源モジュールの組立方法の一工程を模式的に示す模式図である。
【図１１】実施の形態に係る吸着体の吸着時の状態を示す断面図である。
【図１２】接着部の変形例を示す正面図である。
【図１３】接着部の変形例を示す正面図である。
【図１４】接着部の変形例を示す正面図である。
【図１５】しなり部の変形例を示す正面図である。
【図１６】しなり部の変形例を示す正面図である。
【図１７】しなり部の変形例を示す側面図である。
【図１８】固定具収容部及び固定具の変形例を模式的に示す断面図である。
【図１９】固定具の変形例を示す斜視図である。
【図２０】吸着体の変形例の概略構成を発光面側から示す照明器具の全体斜視図である。
【図２１】吸着体の変形例の概略構成を示す断面図である。
【図２２】押圧体が筐体である場合の一例を示す断面図である。
【図２３】発明者の知見に基づく光源モジュールの概略構成を示す分解斜視図である。
【図２４】発明者の知見に基づく光源モジュールの概略構成を示す側面図である。
【発明を実施するための形態】
【０００９】
［発明者の知見］
本発明者は、回路基板と発光パネルとを、例えば両面テープなどの簡素な接着体によって固定する方式を検討した。
【００１０】
図２３は、発明者の知見に基づく光源モジュールの概略構成を示す分解斜視図である。図２４は、発明者の知見に基づく光源モジュールの概略構成を示す側面図である。図２３及び図２４に示す光源モジュール１００では、発光パネル１０１の背面に対して回路基板１０２が一対の両面テープ１０３により取り付けられている。回路基板１０２の対向する一対の辺部１０４には電極１０５が設けられている。また、発光パネル１０１における一対の辺部１０６には電極１０７が設けられている。これらの電極１０５，１０７は、配線１０８を介して電気的に接続されている。
【００１１】
配線１０８は、例えば超音波金属接合によって各電極１０５，１０７に接合される。一対の両面テープ１０３は、電極１０５，１０７の近傍、つまりは回路基板１０２の一対の辺部１０４と、発光パネル１０１との間に配置されている。これにより、超音波接合の確実性を高めつつ、接合時に電極１０５，１０７同士に生じる位置ズレを抑制している。
【００１２】
ところで、電極１０５，１０７の近傍に両面テープ１０３があると、通電で生じる温度上昇によって、通電のオンとオフで発光パネル１０１と回路基板１０２が異なる熱膨張、収縮を行うので、両面テープ１０３がはがれやすくなってしまう。両面テープ１０３がはがれ方は２箇所あるうちの比較的粘着力の弱い方の片側だけがまずはがれる。両面テープ１０３の片側がはがれると、両面テープ１０３がはがれた方の配線１０８を断線させるおそれがある。
【００１３】
そこで、以下では、接合後における発光パネル及び回路基板の位置ズレを抑制し、配線接続の品質を高めた実施の形態について説明する。
【００１４】
［実施の形態］
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、必ずしも厳密に図示されたものではない。
【００１５】
［全体構成］
以下、実施の形態に係る照明器具について説明する。図１は、実施の形態に係る照明器具１を背面側から見た外観図である。図２は、実施の形態に係る照明器具１を発光面側から見た外観図である。図３は、実施の形態に係る照明器具１の分解斜視図である。
【００１６】
なお、照明器具の光照射方向の進行方向側を発光面側とし、進行方向とは反対側を背面側とする。
【００１７】
図１に示すように、照明器具１は、例えば展示品を覆うカバー２００に取り付けられている。カバー２００は、下方が開放した箱状体であり、外部から展示品を鑑賞できるように全体が光透過板２０１によって形成されている。光透過板２０１としては例えば光透過性を有する樹脂板、ガラス板などが挙げられる。
【００１８】
照明器具１は、カバー２００の天井部２０２の上面に設置されている。照明器具１の発光面は、カバー２００の天井部２０２に対向しており、これにより、照明器具１から照射された光がカバー２００内の展示品を照らす。
【００１９】
図１〜図３に示すように、照明器具１は、光源モジュール２と、筐体３とを備えている。
【００２０】
光源モジュール２は、例えば４つ備えられており、平面視で例えば２×２のマトリクス状に配置されて、筐体３に収容されている。光源モジュール２の発光面側には、当該光源モジュール２の配光を制御する光学フィルム９が設けられている。
【００２１】
図４は、光源モジュール２の概略構成を背面側から示す正面図である。図５は、光源モジュール２の概略構成を示す側面図である。
【００２２】
図４及び図５に示すように、光源モジュール２は、光源部４と、回路基板５と、接着部６と、配線７とを備えている。
【００２３】
光源部４は、平面視矩形状に形成され、可視光を面発光するパネル体である。光源部４としては、例えば有機エレクトロルミネッセンスパネル（有機ＥＬパネル）、無機ＥＬパネルなどが挙げられる。光源部４の発光面４１ａとは反対側の面（背面４１ｂ）の周縁部には、電極（第１電極４２）が設けられている。具体的には、第１電極４２は、二組設けられており、それぞれ光源部４の対向する一対の辺部の略中央に設けられている。
【００２４】
回路基板５は、厚みが一様な例えばリジッド基板であり、光源部４の背面側に設置されている。回路基板５には、光源部４を駆動させるための回路部品（図示省略）が実装されている。回路基板５は、拡幅部５１と、狭幅部５２とを備える。拡幅部５１は、回路基板５の中央部であり、幅が略一様に形成されている。狭幅部５２は、拡幅部５１よりも狭い幅で略一様に形成されており、拡幅部５１の両端から第１電極４２の近傍まで延び出ている。拡幅部５１と狭幅部５２との幅方向の中心はほぼ同じとなっている。これにより、光源部４の四隅が回路基板５から露出する。また、狭幅部５２は、拡幅部５１よりも幅が狭いために、拡幅部５１よりもしなりやすくなっている。特に、拡幅部５１と狭幅部５２との境界部分では段差形状となっているので、狭幅部５２が光源部４側に押されたときには境界部分に応力が集中し、しなりやすい。この境界部分がしなり部５３である。
【００２５】
また、狭幅部５２の背面側の先端部（周縁部）には、第１電極４２に対向するように第２電極５４が設けられている。つまり、第２電極５４は、回路基板５の両端部に配置されている。
【００２６】
接着部６は、光源部４と回路基板５とを接着固定している。接着部６は例えば両面テープなどの接着シートであり、平面視正方形状に形成されている。なお、接着部６は、光源部４と回路基板５との間に塗布された接着剤であってもよい。接着部６は、回路基板５と光源部４との間に配置されている。具体的には、接着部６は、回路基板５と光源部４との間であって、回路基板５の拡幅部５１の中央部に配置されている。つまり、接着部６は、平面視において、第２電極５４から幅方向に直交する方向に所定の間隔をあけて配置されている。ここで「所定の間隔」とは、接着部６と第２電極５４とが平面視で離れた間隔であればよい。具体的には、接着部６は回路基板５の両端部の間における中央部に配置されている。配線７は、例えばアルミニウムなどの金属からなる線材である。配線７は、第１電極４２及び第２電極５４のそれぞれに対して超音波金属接合などによって接合され、第１電極４２及び第２電極５４を電気的に接続している。
【００２７】
なお、第１電極４２及び第２電極５４のそれぞれに対して配線７を半田付けなどによって溶着してもよい。この場合、上記「所定の間隔」は、第１電極４２及び第２電極５４に対して配線７を溶着する際に発生した熱が、接着部６に伝わったとしても当該接着部６の接着具合に悪影響を及ぼさない程度に低下するだけの間隔であることがよい。すなわち「所定の間隔」が大きいほど熱は低下するために、一対の第２電極５４がなす間隔の中央部に接着部６を配置すると、一方の第２電極５４と接着部６との間隔、及び他方の第２電極５４と接着部６との間隔のどちらの間隔もほぼ均等に大きくすることができる。
【００２８】
次いで、筐体３について説明する。
【００２９】
図３に示すように、筐体３は、平面視で例えば２×２のマトリクス状に配列された４つの光源モジュール２を収容している。
【００３０】
筐体３は、枠体３１と、背面板３２と、固定具３３とを備えている。
【００３１】
枠体３１は、平面視矩形状に形成されており、４つの光源モジュール２を収容する４つの凹部３１１を備えている。凹部３１１の底面は開放しており、光源モジュール２で照射された光を正面に向けて照射する。
【００３２】
枠体３１の周縁部には、固定具３３を収容するための固定具収容部３４が設けられている。具体的には、固定具収容部３４は、４つ設けられており、枠体３１の対向する一対の辺部３１２，３１３の両端部にそれぞれ設けられている。
【００３３】
背面板３２は、平面視矩形状に形成されており、枠体３１の背面側を覆う板材である。背面板３２における固定具収容部３４に対向する位置には、円状の開口部３２１が形成されている。この開口部３２１によって、固定具収容部３４内の固定具３３が背面側から露出する。
【００３４】
図６は、固定具３３、固定具収容部３４及び開口部３２１の概略構成を示す断面図である。図７は、固定具３３の概略構成を示す斜視図である。
【００３５】
図６及び図７に示すように、固定具３３は、吸着体３５と、押圧体３６とを備え、例えばゴム、樹脂などの可撓性部材によって一体成型されている。吸着体３５は、略球冠状の凹部３５１を有する吸盤である。具体的には、吸着体３５の底部に凹部３５１が形成されている。なお、吸着体３５は略円錐状の凹部を有する吸盤であってもよい。
【００３６】
押圧体３６は、吸着体３５の天頂部に設けられており、軸体３６１と、天板部３６２とを備えている。軸体３６１は、吸着体３５の天頂部から立設している。また軸体３６１の先端部には、円板状の天板部３６２が設けられている。取付対象に対して吸着体３５が載置された状態で天板部３６２を取付対象側に押すと、軸体３６１を介して吸着体３５に押圧力が作用し、吸着体３５が取付対象に対して吸着する。
【００３７】
ついで、固定具収容部３４について図６に基づいて説明する。
【００３８】
固定具収容部３４は、第１収容部３４１と、第２収容部３４２とを備える。第１収容部３４１は、固定具３３の吸着体３５を収容する。具体的には、第１収容部３４１は、枠体３１の発光面側の表面に設けられた例えば円柱状の凹部である。第２収容部３４２は、固定具３３の押圧体３６を収容する。具体的には、第２収容部３４２は、枠体３１の背面に設けられた例えば円柱状の凹部であり、その底部には、第１収容部３４１まで貫通する貫通孔３４３が形成されている。貫通孔３４３内には固定具３３の軸体３６１が挿入される。
【００３９】
第１収容部３４１の内径は、吸着体３５の外径よりも大きい。また、第２収容部３４２の内径は、天板部３６２の外径よりも大きい。貫通孔３４３の内径は、軸体３６１の外径よりも大きく、吸着体３５及び天板部３６２の外径よりも小さい。これにより、軸体３６１の軸方向に沿って固定具３３が固定具収容部３４内で移動自在となり、固定具収容部３４から固定具３３が抜け出てしまうことが防止される。
【００４０】
なお、固定具収容部３４に収容された固定具３３の天板部３６２は、背面板３２の開口部３２１によって露出している。
【００４１】
［組立方法]
次に、本実施の形態に係る照明器具１の組立方法について説明する。
【００４２】
ここでは照明器具１を構成する光源モジュール２の組立方法について具体的に説明する。
【００４３】
図８〜図１０は、光源モジュール２の組立方法の各工程を模式的に示す側面図である。
【００４４】
まず、光源部４の背面若しくは回路基板５の発光面側の表面に対して、接着部６が配置される。光源部４に接着部６が配置される場合には、接着部６の設置箇所（回路基板５の拡幅部５１の中央部）に対応する光源部４の箇所に、接着部６が配置される。
【００４５】
次いで、接着部６を介して回路基板５と光源部４とを取り付けて、図８に示す状態とする。このとき、接着部６の厚さ分だけ回路基板５と光源部４との間に空間が形成される。
【００４６】
次いで、図９に示すように、ジグなどの工作具３００によって回路基板５の狭幅部５２を押さえ、しなり部５３をしならせる。これにより、回路基板５における第２電極５４が設けられた部分が光源部４に密着する。この状態であると、例えば超音波金属接合による接合を確実に行うことが可能となる。また、回路基板５の狭幅部５２が工作具３００によって押さえられたままであると、第１電極４２と第２電極５４との位置関係が安定する。
【００４７】
その後、超音波金属接合などによって配線７を第１電極４２と第２電極５４とに接合する。接合後においては、図１０に示すように、工作具３００が取り外され、回路基板５は弾性復帰して元の形に戻る。
【００４８】
［照明器具の取付方法］
次に、本実施の形態に係る照明器具１の取付方法について説明する。
【００４９】
図１に示すように、作業者は、カバー２００の天井部２０２の上面に対して照明器具１を載せ、所望の位置に位置合わせする。このとき、照明器具１の発光面は、カバー２００の天井部２０２に対向し、照明器具１の背面板３２は上方を向いている。その後、作業者は、背面板３２の開口部３２１から露出している固定具３３の天板部３６２をカバー２００に向けて押す。これにより、吸着体３５が天井部２０２に押し付けられて、吸着することになる。
【００５０】
図１１は、吸着体３５の吸着時の状態を示す断面図である。
【００５１】
図１１に示すように、吸着後においては、吸着体３５は第２収容部３４２内で弾性変形して天井部２０２に密着するため、天井部２０２に筐体３が隙間なく設置される。これにより、光源部４の発光面４１ａから照射された光が天井部２０２で反射しにくくなる。
【００５２】
［効果等］
以上説明したように、回路基板５の第２電極５４が設けられた部分と、回路基板５の接着部６が接着された部分との間の部分に、前記接着された部分よりもしなりやすいしなり部５３が形成されているので、しなり部５３をしならせることで、回路基板５における第２電極５４が設けられた部分を光源部４に近づけ、押さえつけることができる。これにより、配線７を第１電極４２及び第２電極５４に接合する際の位置ズレを抑制することができる。さらに、接合が超音波接合の場合であれば、接合部に超音波接合を漏らさずに伝えることができる。
【００５３】
本実施の形態では、接着部６は平面視で第２電極５４から所定の間隔をあけて配置されている。これにより、光源部４と回路基板５の熱膨張、収縮量の差が生じても、接着部６の接着具合に悪影響を及ぼしにくくなる。したがって、光源部４と回路基板５とを接着部６によって安定して固定することができる。これにより、光源部４及び回路基板５の位置ズレを抑制することができ、配線接続の品質を高めることが可能となる。
【００５４】
ここで、図２３及び図２４に示した光源モジュール１００であると、一対の両面テープ１０３の両方が剥がれた場合、回路基板１０２と発光パネル１０１とが位置ズレしやすくなり、配線１０８が断線してしまう可能性も高まる。また、一対の両面テープ１０３の一方だけが剥がれてしまった場合には、他方の両面テープ１０３は貼り付いたままであるので、回路基板１０２と発光パネル１０１との位置ズレは両方の両面テープ１０３が剥がれた場合よりも発生しにくい。ところで、発光パネル１０１が発光すると、そのときの発熱によって、回路基板１０２と発光パネル１０１とは、他方の両面テープ１０３側を基点に熱膨張する。このとき、互いの膨張率が異なるために、一方の両面テープ１０３側の配線１０８に応力が集中してしまい、断線することもある。いずれにしろ、一対の両面テープ１０３の少なくとも一方が剥がれてしまうと、配線１０８が断線しやすくなってしまう。
【００５５】
本実施の形態では、回路基板５の両端部の間における中央部に接着部６が配置されているので、回路基板５の一端部に設けられた一方の第２電極５４と接着部６との間隔（第１間隔）、及び回路基板５の他端部に設けられた他方の第２電極５４と接着部６との間隔（第２間隔）をほぼ均等に大きくすることができる。回路基板５及び光源部４は、接着部６を基準に熱膨張するが、第１間隔及び第２間隔が均等であれば両者の差は小さくなり、配線７に対する応力集中も緩和される。したがって、長期にわたって配線接続の品質を維持することができる。
【００５６】
また、しなり部５３が、拡幅部５１よりも幅が狭く形成されているので、簡素な構成でしなり部５３を形成することができる。
【００５７】
また、例えば超音波金属接合などによって配線７を第１電極４２と第２電極５４とに接合する場合においても、しなり部５３をしならせ、回路基板５における第２電極５４が設けられた部分を光源部４に密着させているので、超音波振動を接合部に漏らさず伝えることができ、接合を確実に行うことが可能となる。
【００５８】
ここで、展示ケースなどのカバー２００に対する照明器具１の設置作業及び撤去作業の効率化を図るべく、照明器具１の固定及びその固定の解除を容易にする構造が望まれている。
【００５９】
上述したように、光透過板２０１に吸着する吸着体３５と、この吸着体３５を光透過板２０１に押し付けるための押圧体３６とが、筐体３に設けられているので、押圧体３６を押圧するだけで光透過板２０１に吸着体３５を吸着させることができる。このような簡単な作業で照明器具１を光透過板２０１に固定することができる。また、吸着体３５は、光透過板２０１に単に吸着しているだけなので、その吸着を解除しさえすれば、簡単に照明器具１を光透過板２０１から取り外すことも可能となる。これらのことにより、カバー２００に対する照明器具１の設置作業及び撤去作業の効率化を実現することができる。なお、この照明器具１の固定及びその固定の解除を容易にする構造については、筐体３が少なくとも吸着体３５と、圧体３６とを備えていればよい。つまり、筐体３に収容される光源モジュールの構成については如何様でもよく、上記した光源モジュール１００以外の光源モジュールであっても構わない。
【００６０】
また、押圧体３６が吸着体３５に設けられているので、押圧体３６に対する押圧力を直接吸着体３５に作用させることができる。
【００６１】
また、吸着体３５が略円錐状若しくは略球冠状の凹部３５１を有する吸盤であるので、吸着体３５の設置スペースを小さくすることができる。また、吸着体３５が吸盤であるので、吸着の解除も容易に行うことができる。
【００６２】
（その他の実施の形態）
以上、実施の形態に係る照明器具について説明したが、本発明は、上記実施の形態に限定されるものではない。なお、以下の説明において、実質的に同一の構成に対する重複説明を省略する場合がある。
【００６３】
例えば、上記実施の形態では、照明器具１がカバー２００の天井部２０２に設置される場合を例示したが、照明器具１は、光透過板からなる壁に対しても設置可能である。
【００６４】
また、上記実施の形態では、回路基板５がリジッド基板である場合を例示して説明したが、回路基板はフレキシブル基板、リジッドフレキシブル基板であってもよい。
【００６５】
また、上記の実施の形態では、平面視正方形状に形成された接着部６が、回路基板５の拡幅部５１の中央部に配置されている場合を例示したが、接着部６の形状、設置個数、配置位置は、回路基板５の両端部の間における中央部に設けられるのであれば、如何様でもよい。
【００６６】
図１２〜図１４は、接着部の変形例を示す正面図である。
【００６７】
図１２に示す通り、接着部６Ａは、複数設けられていてもよい。この場合、配線溶着時の熱の影響がいずれの接着部６Ａに対しても均一になるように、複数の接着部６Ａの全てが回路基板５の両端部の間における中央部に配置されていることがよい。
【００６８】
接着部６Ａが複数設けられているので、一つの接着部６Ａが劣化、破損したとしても他の接着部６Ａで回路基板５と光源部４との接着を維持することができる。
【００６９】
図１３に示す通り、接着部６Ｂは、幅方向に伸びる平面視長方形状に形成されていてもよい。この場合、接着部６Ｂの全体が、回路基板５の両端部の間における中央部に配置されていることがよい。
【００７０】
図１４に示す通り、接着部６Ｃは、幅方向に直交する方向に延在する平面視長方形状に形成されていてもよい。この場合においても、接着部６Ｃの両端部が、一対の第２電極５４から等間隔に配置されていることがよい。
【００７１】
また、上記の実施の形態では、拡幅部５１と狭幅部５２との境界部分をしなり部５３とした場合を例示したが、回路基板５における接着部６が接着された部分よりもしなりやすくなるのであれば、しなり部５３の形状はこれに限定されない。
【００７２】
図１５及び図１６は、しなり部の変形例を示す正面図である。
【００７３】
図１５に示す回路基板５Ｄでは、拡幅部５１と狭幅部５２との境界部分に、幅方向に互いに対向する一対の切り欠き５５Ｄが設けられている。具体的には、切り欠き５５Ｄは、回路基板５Ｄの幅方向における両端から内方に向けて凹むように形成されている。これによって、しなり部５３Ｄが狭幅部５２よりも小さい幅となるため、よりしなりやすくなる。
【００７４】
図１６に示す通り、回路基板５Ｅは、幅方向に直交する方向に延在する略長方形状に形成されている。この回路基板５Ｅの両端部の間における中央部には、略長方形状の接着部６Ｅが幅方向に延在するように配置されている。そして、回路基板５Ｅの第２電極５４が設けられた部分と、回路基板５Ｅの接着部６Ｅが接着された部分との間の部分には、幅方向に対向する一対の切り欠き５５Ｅが複数対設けられている。具体的には、接着部６Ｅを挟んで二対ずつ切り欠き５５Ｅが配置されている。切り欠き５５Ｅは、回路基板５Ｅの幅方向における両端から内方に向けて凹むように形成されている。このように各対の切り欠き５５Ｅによって幅が狭くなった部分は、他の部分よりもしなりやすくなる。すなわち、この幅が狭くなった部分がしなり部５３Ｅとなる。
【００７５】
上記実施の形態では、厚みの一様な回路基板５を例示して説明したが、部分的に厚みを薄く形成することによってしなり部を形成することも可能である。
【００７６】
図１７は、しなり部の変形例を示す側面図である。
【００７７】
図１７に示す回路基板５Ｆは、全長にわたって幅は一様である。そして、回路基板５Ｆの発光面側の表面には、幅方向に延在する一対の切り欠き５６Ｆが形成されている。この一対の切り欠き５６Ｆの間に、接着部６が接着された部分が配置されている。このように各切り欠き５６Ｆによって厚みが薄くなった部分は、他の部分よりもしなりやすくなる。すなわち、この厚みが薄くなった部分がしなり部５３Ｆとなる。
【００７８】
このように、回路基板５Ｆの部分的な厚みを異ならせることでしなり部５３Ｆを形成しているので、回路部品が実装される回路実装面の面積を確保したまましなり部５３Ｆを形成することができる。
【００７９】
また、回路基板の一部を、他の部分よりもしなりやすい材料で形成しておくことで、当該部分をしなり部とすることも可能である。さらに、回路基板５の幅、厚み、材料の少なくとも一つを調整することで、しなり部を他の部分よりもしなりやすくしてもよい。
【００８０】
また、上記実施の形態では、固定具収容部３４内に固定具３３が単に収容されている場合を例示したが、固定具収容部３４に対して固定具３３が螺合していてもよい。
【００８１】
図１８は、固定具収容部及び固定具の変形例を模式的に示す断面図である。図１９は、固定具の変形例を示す斜視図である。
【００８２】
図１８及び図１９に示すように、固定具３３Ｇの軸体３６１Ｇは、外周面に雄ネジが形成されたネジ軸である。また、固定具３３の天板部３６２Ｇの上面には、例えば十字ネジ回しの先端が係合する十字状の被係合部３８Ｇが形成されている。つまり、天板部３６２Ｇがネジ頭である。なお、被係合部３８Ｇの形状はこれに限らず、固定具３３を固定するための工具の先端形状に応じた形状であればよい。
【００８３】
固定具収容部３４Ｇの貫通孔３４３Ｇは、その内周面に軸体３６１Ｇが螺合する雌ネジが形成されたネジ孔である。軸体３６１Ｇを貫通孔３４３Ｇに螺合させた状態であると、固定具３３Ｇの天板部３６２Ｇが第１収容部３４１内に収容される。つまり、第１収容部３４１は、ネジ頭を収容する凹部である。
【００８４】
そして、固定具３３Ｇの被係合部３８Ｇに工具を係合し、工具を操作することによって固定具３３Ｇを回転させることで、固定具３３Ｇが軸方向に沿って進退することになる。カバー２００の天井部２０２に照明器具１を設置する際には、作業者は工具によって、吸着体３５が天井部２０２に近づくように固定具３３Ｇを回転させる。他方、照明器具１を取り外す際には、作業者は工具によって、吸着体３５が天井部２０２から離れるように固定具３３Ｇを回転させる。
【００８５】
また、固定具収容部３４Ｇの貫通孔３４３に対して、固定具３３Ｇの軸体３６１Ｇが螺合しているので、天板部３６２Ｇを回転させることで、吸着体３５を天井部２０２に対して接離させることができる。特に、吸着体３５を天井部２０２から取り外す際に、単に引き剥がす場合よりも大きな力を吸着体３５に作用させることができ、容易に取り外すことが可能となる。
【００８６】
また、上記実施の形態では、吸着体３５が略円錐状若しくは略球冠状の凹部を有する吸盤である場合を例示したが、吸着体は溝状の吸盤であってもよい。
【００８７】
図２０は、吸着体の変形例の概略構成を発光面側から示す照明器具の全体斜視図である。図２１は、吸着体の変形例の概略構成を示す断面図である。
【００８８】
図２０及び図２１に示すように、カバー体６０は、本体部６１と、吸着体６２とを備え、ゴム、樹脂などの可撓性部材によって一体成型されている。本体部６１は、筐体３の全周を囲む枠体である。この本体部６１の内周面には、筐体３の周縁部が嵌る凹部６３が形成されている。この凹部６３内に筐体３の周縁部が嵌ると、筐体３の発光面側の表面と、背面と、外周面が本体部６１に当接することになる。吸着体６２は、本体部６１の発光面側の表面に形成された溝状の吸盤である。吸着体６２の断面視両端部は、発光面側に突出している。吸着体６２は、筐体３の周縁部に沿って全周にわたって連続して形成されている。なお、吸着体６２は、筐体３の周縁部に沿っていれば断続的に形成されていてもよい。
【００８９】
そして、照明器具１Ｈをカバー２００の天井部２０２に取り付ける際には、作業者は、天井部２０２に照明器具１Ｈを載せ、カバー体６０の吸着体６２を天井部２０２に接触させる。その後、作業者は、カバー体６０の本体部６１を天井部２０２に向けて押す。これにより、吸着体６２が天井部２０２に押し付けられて、吸着することになる。つまり、本体部６１が押圧体である。
【００９０】
このように、カバー体６０の本体部６１が少なくとも筐体３の外周面及び背面に当接し、筐体３の周縁部を囲っている。そして、天井部２０２に吸着体６２が吸着した後には、天井部２０２の平面方向の移動や、天井部２０２から離れる方向の移動が規制される。したがって、筐体３が天井部２０２に沿ってスライドしたり、天井部２０２から浮き上がったりすることを防止することができる。
【００９１】
また、吸着体６２が溝状の吸盤であるので、天井部２０２に対して吸着する面積を大きくすることができる。したがって、照明器具１Ｈを天井部２０２に安定して固定することができる。
【００９２】
また、押圧体を筐体自体としてもよい。
【００９３】
図２２は、押圧体が筐体である場合の一例を示す断面図である。図２２に示すように、吸着体７０は、筐体３の発光面側の表面の周縁部に取り付けられている。吸着体７０は、溝状の吸盤であっても、円錐状若しくは略球冠状の凹部を有する吸盤であってもよい。筐体３を天井部２０２に押し付けることで、吸着体７０に押圧力が作用して、吸着体７０が天井部２０２に吸着することになる。
【００９４】
このように筐体３自体が押圧体であれば、筐体３全体を天井部２０２に押し当てるだけで、照明器具１をカバー２００に固定することができる。
【符号の説明】
【００９５】
１      照明器具
２      光源モジュール
３      筐体
４      光源部
５      回路基板
６      接着部
７      配線
３３    固定具
３４    固定具収容部
３５    吸着体
３６    押圧体
４２    第１電極
５３    しなり部
５４    第２電極
２０１  光透過板
３４１  第１収容部（収容凹部）
３４２  第２収容部
３４３  貫通孔
３５１  凹部
３６１  軸体
３６１Ｇ  軸体（ネジ軸）
３６２Ｇ  天井部（ネジ頭）
【図１】
2016170920.tif 000003
【図２】
2016170920.tif 000004
【図３】
2016170920.tif 000005
【図４】
2016170920.tif 000006
【図５】
2016170920.tif 000007
【図６】
2016170920.tif 000008
【図７】
2016170920.tif 000009
【図８】
2016170920.tif 000010
【図９】
2016170920.tif 000011
【図１０】
2016170920.tif 000012
【図１１】
2016170920.tif 000013
【図１２】
2016170920.tif 000014
【図１３】
2016170920.tif 000015
【図１４】
2016170920.tif 000016
【図１５】
2016170920.tif 000017
【図１６】
2016170920.tif 000018
【図１７】
2016170920.tif 000019
【図１８】
2016170920.tif 000020
【図１９】
2016170920.tif 000021
【図２０】
2016170920.tif 000022
【図２１】
2016170920.tif 000023
【図２２】
2016170920.tif 000024
【図２３】
2016170920.tif 000025
【図２４】
2016170920.tif 000026